(57)【特許請求の範囲】
【請求項１】
それぞれ複数チャンネルの音声データを入出力することのできる複数のポートと、
所定チャンネル数の上記音声データの音声レベルを表示することのできる複数の表示領域が設けられた表示手段と、
上記ポートの数と、上記表示手段の上記表示領域の数と、上記ポートを介して上記入出力される上記音声データの上記チャンネル数と、上記表示手段の上記表示領域に表示することのできる上記音声レベルの数とに基づいて、当該表示手段の各上記表示領域に上記音声データの上記音声レベルを表示するために上記ポートを割り当てる割当て手段と、
上記割当て手段により上記表示手段の１又は複数の上記表示領域に、当該各表示領域に表示することのできる上記音声レベルの数よりも多い上記音声レベルを表示するために上記ポートが割り当てられた場合、各上記表示領域に表示される上記音声レベルを切り換える切換え手段と
を具える表示割当て装置。
【請求項２】
複数のポートを介してそれぞれ複数チャンネルの音声データを入出力する第１のステップと、
所定チャンネル数の音声データの音声レベルを表示することのできる複数の表示領域に、上記ポートの数と、上記表示領域の数と、上記ポートを介して上記入出力される上記音声データの上記チャンネル数と、上記表示領域に表示することのできる上記音声レベルの数とに基づいて、上記音声データの上記音声レベルを表示するために上記ポートを割り当てる第２のステップと、
上記第２のステップにおいて、１又は複数の上記表示領域に、当該各表示領域に表示することのできる上記音声レベルの数よりも多い上記音声レベルを表示するように上記ポートが割り当てられた場合、当該各表示領域に表示される上記音声レベルを切り換える第３のステップと
を具える表示割当て方法。
【請求項３】
それぞれ複数のチャンネルの音声データを入出力することのできる複数のポートと、
各上記ポートを介して上記入出力される上記音声データを記録又は再生するランダムアクセス可能なディスク状記録媒体と、
所定チャンネル数の上記音声データの音声レベルをそれぞれ表示することのできる複数の表示領域が設けられ、当該各表示領域に各上記ポートを介して上記入出力される上記音声データの音声レベルを表示する表示手段と、
上記ポートの数と、上記表示手段の上記表示領域の数と、上記ポートを介して上記入出力される上記音声データの上記チャンネル数と、上記表示手段の上記表示領域に表示することのできる上記音声レベルの数とに基づいて、当該表示手段の各上記表示領域に上記音声データの上記音声レベルを表示するために上記ポートを割り当てる割当て手段と、
上記割当て手段により上記表示手段の１又は複数の上記表示領域に、当該各表示領域に表示することのできる上記音声レベルの数よりも多い上記音声レベルを表示するように上記ポートが割り当てられた場合、各上記表示領域に表示される上記音声レベルを切り換える切換え手段と
を具えるデータ記録再生装置。
【発明の詳細な説明】
【０００１】
【発明の属する技術分野】
本発明は表示割当て装置及びその方法並びにデータ記録再生装置に関し、例えばビデオサーバに適用して好適なものである。
【０００２】
【従来の技術】
従来、ビデオサーバにおいては、ランダムアクセス可能な複数のハードディスクドライブをディスクアレイ構成にしてなるデータ記録再生部を有し、記録動作時、外部から供給される映像音声データを符号化し、得られた符号化データをこのデータ記録再生部において所定単位毎に分離し、得られた所定単位のデータ（以下、これを分離データと呼ぶ）を複数のハードディスクドライブに順次振り分けて与えることにより各ハードディスクに記録する。
【０００３】
またこのビデオサーバにおいては、再生動作時、データ記録再生部において、各ハードディスクに記憶された分離データを各ハードディスクドライブを一斉に駆動させるようにして読み出した後、統合することにより元の符号化データを再構築し、この後符号化データを復号化し、得られた映像音声データを外部に出力するようになされている。
【０００４】
そしてこのビデオサーバにおいては、データ記録再生部により映像音声データを時分割的に記録又は再生することができ、かくしてこのビデオサーバに設けられた複数の入出力ポートを介してそれぞれ入出力する映像音声データをほぼ同時に記録及び又は再生することができるようになされている。
【０００５】
【発明が解決しようとする課題】
ところでかかる構成のビデオサーバにおいては、コントローラや各種編集装置等が設けられた例えばテレビジョン放送用の編集システムに用いられ、これらコントローラや各種編集装置に接続されることにより当該コントローラの制御のもとに、編集対象の映像音声データや各種編集装置において編集された映像音声データを記録再生し得るようになされている。
【０００６】
ところがこのような編集システムにおいては、構成が煩雑になりシステム自体が大型化する。このためビデオサーバにこれらコントローラ及び各種編集装置の機能をもたせると共に、当該ビデオサーバの筐体に各種操作命令を入力し得る操作パネルを設け、かかる構成のビデオサーバ１台で映像音声データに対する編集処理や記録再生処理等を行うようにすれば、編集システムとしてかかる構成のビデオサーバの使い勝手を向上し得ると考えられている。
【０００７】
これに加えてかかる構成のビデオサーバにおいては、操作パネルに入出力ポート毎に入出力される音声データの音声レベルを表示するような複数の表示領域からなる表示部を設けることも考えられているものの、かかる構成のビデオサーバを実現する際には小型化するように要望されている。
【０００８】
ところで従来、ビデオサーバにおいては、一般に映像データと、４チャンネル程度の音声データとを映像音声データとして記録再生するものの、最近では、音声データのチャンネルが多チャンネル化（例えば８チャンネル程度）される傾向にある。
【０００９】
このためかかる構成のビデオサーバにおいては、小型化に伴う表示部内の限られたスペースに多チャンネル化された音声データの音声レベルを視認性を損なうことなく表示させる必要があるものの、このように音声レベルを表示させるような手法はいまだ確立されていなのが現状である。
【００１０】
本発明は以上の点を考慮してなされたもので、データ記録再生装置の使い勝手を向上し得る表示割当て装置及びその方法並びにデータ記録再生装置を提案しようとするものである。
【００１１】
【課題を解決するための手段】
かかる課題を解決するため本発明においては、表示割当て装置において、それぞれ複数チャンネルの音声データを入出力することのできる複数のポートと、所定チャンネル数の音声データの音声レベルを表示することのできる複数の表示領域が設けられた表示手段と、ポートの数と、表示手段の表示領域の数と、ポートを介して入出力される音声データのチャンネル数と、表示手段の表示領域に表示することのできる音声レベルの数とに基づいて、当該表示手段の各表示領域に音声データの音声レベルを表示するためにポートを割り当てる割当て手段と、当該割当て手段により表示手段の１又は複数の表示領域に、当該各表示領域に表示することのできる音声レベルの数よりも多い音声レベルを表示するためにポートが割り当てられた場合、各表示領域に表示される音声レベルを切り換える切換え手段とを設けるようにした。
【００１２】
この結果、表示手段内の限られたスペース内に複数チャンネル分の音声データの音声レベルを視認性を損なうことなく効率良く表示させることができる。
【００１３】
また本発明においては、表示割当て方法において、複数のポートを介してそれぞれ複数チャンネルの音声データを入出力する第１のステップと、所定チャンネル数の音声データの音声レベルを表示することのできる複数の表示領域に、ポートの数と、表示領域の数と、ポートを介して入出力される音声データのチャンネル数と、表示領域に表示することのできる音声レベルの数とに基づいて、音声データの音声レベルを表示するためにポートを割り当てる第２のステップと、当該第２のステップにおいて、１又は複数の表示領域に、当該各表示領域に表示することのできる音声レベルの数よりも多い音声レベルを表示するようにポートが割り当てられた場合、当該各表示領域に表示される音声レベルを切り換える第３のステップとを設けるようにした。
【００１４】
この結果、限られた表示スペース内に複数チャンネル分の音声データの音声レベルを視認性を損なうことなく効率良く表示させることができる。
【００１５】
さらに本発明においては、データ記録再生装置において、それぞれ複数のチャンネルの音声データを入出力することのできる複数のポートと、各ポートを介して入出力される音声データを記録又は再生するランダムアクセス可能なディスク状記録媒体と、所定チャンネル数の音声データの音声レベルをそれぞれ表示することのできる複数の表示領域が設けられ、これら各表示領域に各ポートを介して入出力される音声データの音声レベルを表示する表示手段と、ポートの数と、表示手段の表示領域の数と、ポートを介して入出力される音声データのチャンネル数と、表示手段の表示領域に表示することのできる音声レベルの数とに基づいて、当該表示手段の各表示領域に音声データの音声レベルを表示するためにポートを割り当てる割当て手段と、当該割当て手段により表示手段の１又は複数の表示領域に、当該各表示領域に表示することのできる音声レベルの数よりも多い音声レベルを表示するようにポートが割り当てられた場合、各表示領域に表示される音声レベルを切り換える切換え手段とを設けるようにした。
【００１６】
この結果、ディスク状記録媒体に記録又は再生する音声データの音声レベルを、他にモニタ等を使用しなくとも容易に目視確認することができる。
【００１７】
【発明の実施の形態】
以下図面について、本発明の一実施の形態を詳述する。
【００１８】
（１）本実施の形態によるビデオサーバ１の構成
図１において、１は全体として本発明を適用したビデオサーバを示し、筐体２の前面部２Ａにメータパネル３及びコントロールパネル４が配置されると共に、当該筐体２の後部２Ｂに所定の接続ケーブル５を介して複数の外部接続用端子からなる接続部６が接続されている。
【００１９】
また筐体２の内部には、ディスクアレイを構成する複数のハードディスクドライブと、各種データ処理基板が接続されたマザーボードとが収納されると共に、入力及び又は出力用の２枚のデータ処理基板７及び８が当該マザーボードに設けられた例えば４つの入出力ポートに着脱自在に接続されるようにして収納されている。
【００２０】
実際上メータパネル３には、図２に示すように、メータ表示部９が配置されている。このメータ表示部９内には、マザーボードの入出力ポートに対応させた第１〜第４のメータ表示領域９Ａ〜９Ｄが設けられると共に、当該第１〜第４のメータ表示領域９Ａ〜９Ｄ内にはそれぞれ棒状でなる４本のレベルメータが設けられている。
【００２１】
またこのメータパネル３には、各入出力ポートを選択し得るポート選択ボタン１０Ａ〜１０Ｄと、４本のレベルメータに対応させた４つのボリューム１１〜１４とが配設されている。
【００２２】
そしてこのメータパネル３においては、ポート選択ボタン１０Ａ〜１０Ｄが押下されると、この選択された入出力ポートを介して入力又は出力される４チャンネル分の音声データの音声レベルが、対応する第１〜第４のメータ表示領域９Ａ〜９Ｄ内の４本のレベルメータに表示されると共に、当該対応する第１〜第４のメータ表示領域９Ａ〜９Ｄ内に音声データに予め付加されたタイムコード等の各種情報が表示される。
【００２３】
さらにこのメータパネル３においては、このとき対応するボリューム１１〜１４により音声レベルを調節することができるようになされている。
【００２４】
またコントロールパネル４（図２）には、複数の操作ボタンが配置されており、これら各操作ボタンを介して再生命令や記録命令等の各種操作命令を入力し得るようになされている。
【００２５】
一方筐体２の内部においては、図３に示すように、各種データ処理基板として、タイミング制御用基板２０と、ファイル管理用基板２１と、ハードディスク制御用基板２２とがマザーボード２３に設けられたバス２４に予め接続されると共に、データ切換え用基板２５と、編集用基板２６とが当該マザーボード２３を介して予め接続されている。
【００２６】
またハードディスク制御用基板２２には複数のハードディスクドライブ２７Ａ〜２７Ｋが接続されており、当該ハードディスク制御用基板２２及び各ハードディスクドライブ２７Ａ〜２７Ｋがディスクアレイ構成のデータ記録再生部２８を構成している。
【００２７】
さらに入力及び又は出力用の一方のデータ処理基板７は、入出力用基板２９と、接続用基板３０とが接続されて構成されると共に、他方のデータ処理基板８は、出力用基板３１と、接続用基板３２とが接続されて構成されている。
【００２８】
そしてデータ処理基板７には、入力処理部７Ａ及び出力処理部７Ｂが設けられると共に、データ処理基板８には、２つの出力処理部８Ａ及び８Ｂが設けられている。
【００２９】
この場合各データ処理基板７及び８は、筐体２の内部に収納された場合、それぞれ入力処理部７Ａ及び出力処理部７Ｂ、８Ａ、８Ｂがそれぞれ入出力ポートを介してバス２４に接続されると共に、マザーボード２３を介してデータ切換え用基板２５に接続される。
【００３０】
実際上このビデオサーバ１においては、記録動作時、タイミング制御用基板２０のタイミング制御部３３にコントロールパネル４から記録命令Ｃ１が与えられると、当該タイミング制御部３３は、この記録命令Ｃ１をバス２４を介して一方の接続用基板３０内の入出力制御部３４に送出する。
【００３１】
入出力制御部３４は、タイミング制御部３３から与えられた記録命令Ｃ１に基づいて、ファイル管理用基板２１内のファイル管理制御部３５により各ハードディスク内にデータを記録するための空き領域を確保させる。
【００３２】
そして入出力制御部３４は、ファイル管理制御部３５に各ハードディスク内に空き領域が確保されると、外部から供給される映像音声データＤ１を入力処理部７Ａにおいてセレクタ３６及びオーディオプロセッサ３７を順次介してエンコーダ部３８に取り込み、当該エンコーダ部３８においてこの映像音声データＤ１を符号化した後、得られた映像符号化データＤ２及び音声符号化データＤ３をバッファメモリ３９に書き込む一方、当該バッファメモリ３９に書き込んだ映像符号化データＤ２及び音声符号化データＤ３をタイムスロット方式で読み出し、これをバス２４を介してハードディスク制御用基板２２のバッファメモリ４０に書き込む。
【００３３】
このハードディスク制御用基板２２においては、ファイル管理制御部３５の制御のもとに、バッファメモリ４０に書き込まれた映像符号化データＤ２を読み出し、これを映像分離統合部４１において所定単位毎に順次分離した後、得られた所定単位のデータ（以下、これを映像分離データと呼ぶ）Ｄ４を、この映像分離統合部４１に並列接続された所定台数（例えば８台）の映像データ記録再生用のハードディスクドライブ２７Ａ〜２７Ｈに振り分けて送出することによりハードディスクに記録させる。
【００３４】
因みに映像分離統合部４１は、映像データ記録再生用のハードディスクドライブ２７Ａ〜２７Ｈに映像分離データＤ４を振り分ける毎に、これら各映像分離データＤ４に基づいてそのパリティデータＤ５を生成し、これをパリティ記録再生用のハードディスクドライブ２７Ｉに送出することによりハードディスクに記録させる。
【００３５】
またハードディスク制御用基板２２においては、このときバッファメモリ４０に書き込まれた音声符号化データＤ３を読み出し、これを音声分離統合部４２において所定単位毎に順次分離した後、得られた所定単位のデータ（以下、これを音声分離データと呼ぶ）Ｄ６を、この音声分離統合部４２に並列接続された所定台数（例えば２台）の音声データ記録再生用のハードディスクドライブ２７Ｊ及び２７Ｋに振り分けて送出することによりハードディスクに記録させる。
【００３６】
一方このビデオサーバ１においては、再生動作時、タイミング制御部３３にコントロールパネル４から再生命令Ｃ２が与えられると、当該タイミング制御部３３は、この再生命令Ｃ２をバス２４を介して対応する接続用基板３０又は３２の入出力制御部３４又は出力制御部４３に送出する。
【００３７】
入出力制御部３４又は出力制御部４３は、タイミング制御部３３から与えられた再生命令Ｃ２に基づいて、ファイル管理制御部３５に各ハードディスク内の対応するデータの記録領域を検索させる。
【００３８】
そしてこのファイル管理制御部３５によるデータの記録領域の検索が終了すると、ハードディスク制御用基板２２は、このファイル管理制御部３５の制御のもとに、映像データ記録再生用の各ハードディスクドライブ２７Ａ〜２７Ｈと、パリティ記録再生用のハードディスクドライブ２７Ｉとを一斉に駆動させることにより各ハードディスクに振り分けて記録された映像分離データＤ４と、所定のハードディスクに記録されたパリティデータＤ５とを読み出し、これらを映像分離統合部４１に取り込む。
【００３９】
これにより映像分離統合部４１は、パリティ記録再生用のハードディスクドライブ２７Ｉから取り込んだパリティデータＤ５を必要に応じて用いながら、映像データ記録再生用の各ハードディスクドライブ２７Ａ〜２７Ｈから取り込んだ各映像分離データＤ５を統合するようにして元の映像符号化データＤ２を再構築し、これをバッファメモリ４０に書き込む。
【００４０】
またハードディスク制御用基板２２は、このとき音声データ記録再生用の各ハードディスクドライブ２７Ｊ及び２７Ｋを一斉に駆動させることにより各ハードディスクに振り分けて記録された音声分離データＤ６を読み出し、これらを音声分離統合部４２に取り込む。
【００４１】
これにより音声分離統合部４２は、これら音声データ記録再生用の各ハードディスクドライブ２７Ｊ及び２７Ｋから取り込んだ各音声分離データＤ６を統合するようにして元の音声符号化データＤ３を再構築し、これをバッファメモリ４０に書き込む。
【００４２】
入出力制御部３４又は出力制御部４３は、このときバッファメモリ４０に書き込まれた映像符号化データＤ２及び音声符号化データＤ３をタイムスロット方式で読み出し、これをバス２４を介して対応する出力処理部７Ｂ、８Ａ、８Ｂのバッファメモリ４４〜４６に書き込む一方、当該バッファメモリ４４〜４６に書き込んだ映像符号化データＤ２及び音声符号化データＤ３を読み出し、これをデコード部４７〜４９において復号化した後、得られた映像音声データＤ１をセレクタ５０〜５２及びオーディオプロセッサ５３〜５５を順次介して外部に出力する。
【００４３】
因みにこのビデオサーバ１においては、外部からイーサネット５６及びイーサドライバ５７を順次介してファイル管理制御部３５に静止画像に対する再生命令Ｃ３が与えられると、当該ファイル管理制御部３５の制御のもとに、データ記録再生部２８から対応する１フレーム分の映像符号化データＤ２を再生し、これをファイル管理制御部３５からイーサドライバ５７及びイーサネット５６を順次介して外部に出力し得るようになされている。
【００４４】
このようにしてこのビデオサーバ１においては、コントロールパネル４を介して入力される記録命令Ｃ１及び再生命令Ｃ２に基づいて、データ記録再生部２８において映像音声データＤ１を記録再生し得るようになされている。
【００４５】
またこのビデオサーバ１においては、編集動作時、タイミング制御部３３にコントロールパネル４から編集命令Ｃ４が与えられると、当該タイミング制御部３３は、この編集命令Ｃ４をバス２４を介して対応する入出力制御部３４又は出力制御部４３と、データ切換え用基板２５内の切換え制御部５８に送出する。
【００４６】
入出力制御部３４又は出力制御部４３は、タイミング制御部３３から与えられた編集命令Ｃ４に基づいて、外部から入力処理部７Ａに取り込んだ映像音声データＤ１、又は出力処理部７Ｂ、８Ａ，８Ｂのデコーダ部４７〜４９から得られた１又は複数の映像音声データＤ１を必要に応じてデータ切換え用基板２５のデータ切換え器５９に送出する。
【００４７】
データ切換え器５９は、切換え制御部５８の制御のもとに、入力処理部７Ａ及び又は出力処理部７Ｂ、８Ａ、８Ｂから与えられた１又は複数の映像音声データＤ１に含まれる映像データＤ７を、選択的に切り換えながら編集用基板２６に送出する。
【００４８】
編集用基板２６は、切換え器５９から与えられた映像データＤ７に基づく映像に対してディゾルブやワイプ等の各種編集処理を施し、又は切換え制御部５８から与えられた所定のビットマップデータＤ８に基づく字幕を当該映像データＤ７に基づく映像に重畳する等のように当該映像データＤ７を所望する状態に編集し、得られた映像データＤ９をデータ切換え器５９に送出する。
【００４９】
またデータ切換え器５９は、このとき切換え制御部５８の制御のもとに、映像音声データＤ１に含まれる音声データＤ１０を選択的に切り換えながらミキサ６０に送出する。これによりミキサ６０は、切換え制御部５８の制御のもとに、音声データＤ１０に対して所定のミキシング処理を施し、得られた音声データＤ１１をデータ切換え器５９に送出する。
【００５０】
これによりデータ切換え器５９に与えられた映像データＤ９及び対応する音声データＤ１１は、編集映像音声データＤ１２として入出力用基板２９及び又は出力用基板３１のセレクタ３６、５０〜５２を介して上述と同様に符号化されてデータ記録再生部２７に記録され、又はそのまま外部に出力される。
【００５１】
このようにしてこのビデオサーバ１においては、コントロールパネル４を介して入力される編集命令Ｃ４に基づいて、外部から取り込んだ映像音声データＤ１や、データ記録再生部２８から再生された映像音声データＤ１を所望の状態に編集した後、再びデータ記録再生部２８に記録し、又はそのまま外部に出力し得るようになされている。
【００５２】
因みにこのビデオサーバ１においては、タイミングパルス生成器６１が外部から与えられた映像データＤ７の同期信号Ｓ１に基づく所定のタイミングでパルス信号を生成し、これをタイミング制御部３３を介して各データ処理基板に与えることによりこれら各データ処理基板がこのパルス信号に基づいて記録動作、再生動作及び編集動作を実行する。またタイミング制御部３３は、このパルス信号に基づいてバス２４に対するタイムスロットを割り当てることができる。
【００５３】
また入出力用基板２９及び出力用基板３１内の各オーディオプロセッサ３７、５３〜５５は、記録動作、再生動作及び編集動作時に、映像音声データＤ１又は編集映像音声データＤ１２に含まれる音声データＤ１０又はＤ１１の音声レベルを検出し、得られたレベルデータＤ１３〜Ｄ１６を対応する入出力制御部３４又は出力制御部４３と、バス２４とを順次介して切換え制御部５８に送出する。
【００５４】
そして切換え制御部５８は、このレベルデータＤ１３〜Ｄ１６をメータパネル３に送出することにより、メータ表示部９（図２）において第１〜第４のメータ表示領域９Ａ〜９Ｄ（図２）内の４本のレベルメータにそれぞれ対応するレベルデータＤ１３〜Ｄ１６に基づく４チャンネル分の音声データＤ１０又はＤ１１の音声レベルを表示させることができるようになされている。
【００５５】
かかる構成に加えこのビデオサーバ１の場合、マザーボード２３に設けられた各入出力ポートには、それぞれ入力処理部７Ａ又は出力処理部７Ｂ、８Ａ、８Ｂのいずれも接続し得るようになされている。
【００５６】
また各入出力ポートには、予め例えば４チャンネルの音声データＤ１０及びＤ１１を処理し得るように設定された入力処理部７Ａ又は出力処理部７Ｂ、８Ａ、８Ｂや、例えば８チャンネルの音声データＤ１０及びＤ１１を処理し得るように設定された入力処理部７Ａ又は出力処理部７Ｂ、８Ａ、８Ｂのいずれも接続し得るようになされている。
【００５７】
従って上述したビデオサーバ１においては、一般的な１入力３出力の構成としているものの、処理し得る音声データＤ１０及びＤ１１のチャンネル数も含めてこの他種々の構成を取り得るようになされている。
【００５８】
このため入出力制御部３４及び出力制御部４３は、内部に設けられたメモリに予め入力処理部７Ａ又は出力処理部７Ｂ、８Ａ、８Ｂの接続に使用する入出力ポートの数を表すポート数情報と、データ処理基板７及び８内に設けられた入力処理部７Ａ又は出力処理部７Ｂ、８Ａ、８Ｂの種類を表す種類情報と、当該入力処理部７Ａ又は出力処理部７Ｂ、８Ａ、８Ｂにおいて入力又は出力処理し得る音声データＤ１０及びＤ１１のチャンネル数を表すチャンネル数情報とからなる接続情報を記憶している。
【００５９】
そして入出力制御部３４及び出力制御部４３は、データ処理基板７及び８が筐体２の内部に収納されることにより入力処理部７Ａ又は出力処理部７Ｂ、８Ａ、８Ｂが実際に入出力ポートに接続されると、メモリから接続情報を読み出し、これをバス２４を介して切換え制御部５８に送出する。
【００６０】
これにより切換え制御部５８は、入出力制御部３４及び出力制御部４３から与えられた接続情報を内部に設けられたメモリに記憶し、各入出力ポートの使用状況を管理し得るようになされている。
【００６１】
また切換え制御部５８は、映像音声データＤ１が記録及び又は再生処理される際、メータパネル３から与えられる所定のモード指定情報に基づいて、各入出力ポートに接続されたデータの処理経路（以下、これを単に処理経路と呼ぶ）に対して、それぞれ独立して記録又は再生処理を実行させる独立処理モードと、記録処理と再生処理とを実行し得る１対の処理経路（以下、これを処理経路対と呼ぶ）を確保し、当該処理経路対を用いてビデオテープレコーダのような記録再生処理を実行させる（すなわち、記録処理と再生処理とを同時に行わない）記録再生確保処理モードと、独立処理モード及び記録再生確保処理モードを混在させた混在処理モードとのいずれかの処理モードを設定し得るようになされている。
【００６２】
そして切換え制御部５８は、このように各入出力ポートの使用状況や、各処理経路に設定される処理モードが必要に応じて変わることにより、図４に示すように、各処理経路に対する処理モードを設定すると、この設定した処理モードを表す情報と、この処理モードが記録再生確保処理モード又は混在処理モードの際には処理経路対を表す情報とからなるオペレーション情報Ｓ２を生成し、これをメータパネル３内の表示制御部６５に送出する。
【００６３】
また切換え制御部５８は、このときメモリ内からこれに予め記憶されているメータ表示部９内の第１〜第４のメータ表示領域９Ａ〜９Ｄの数を表す表示領域数情報及び当該第１〜第４のメータ表示領域９Ａ〜９Ｄ内にそれぞれ配置されたレベルメータの本数を表すレベルメータ数情報と共に、接続情報に含まれるポート数情報と、チャンネル数情報とを読み出し、当該読み出したレベルメータ数情報と、表示領域数情報と、ポート数情報と、チャンネル数情報とをコンフィグレーション情報Ｓ３として表示制御部６５に送出する。
【００６４】
そして表示制御部６５は、切換え制御部５８から与えられたオペレーション情報Ｓ２及びコンフィグレーション情報Ｓ３に基づいて、メータ表示部９内の第１〜第４のメータ表示領域９Ａ〜９Ｄに音声データＤ１０及びＤ１１の音声レベルを表示するために入出力ポートを割り当て、当該切換え制御部５８から与えられたレベルデータＤ１３〜Ｄ１６をこのポートの割当て情報と共にメータ表示部９に送出する。
【００６５】
これにより表示制御部６５は、各入出力ポートに対する入力及び又は出力用のデータ処理基板７及び８の使用状況や、各処理経路に対する処理モードの設定状況に応じて、第１〜第４のメータ表示領域９Ａ〜９Ｄにそれぞれ対応する処理経路から得られたレベルデータＤ１３〜Ｄ１６に基づく音声レベルを表示し得るようになされている。
【００６６】
因みに表示制御部６５は、１つの第１〜第４のメータ表示領域９Ａ〜９Ｄ内に４本のレベルメータよりも多い複数チャンネル分の音声データＤ１０及びＤ１１の音声レベルを表示させる場合には、メータパネル３に設けられた表示切換えボタン６６の操作に応じて音声レベルの表示を切り換える。
【００６７】
実際上表示制御部６５は、例えば入出力ポートと、第１〜第４のメータ表示領域９Ａ〜９Ｄとが同数であり、これら入出力ポートが全て使用され、かつ全ての処理経路においてそれぞれ８チャンネルの音声データＤ１０及びＤ１１が記録又は再生処理されるとすれば、独立処理モード時には、図５（Ａ）及び（Ｂ）に示すように、第１〜第４のメータ表示領域９Ａ〜９Ｄにそれぞれ１つの入出力ポートを割り当てる。
【００６８】
そして第１〜第４のメータ表示領域９Ａ〜９Ｄ内の４本のレベルメータには、それぞれ対応する１つの入出力ポートを介して入力又は出力される８チャンネル分の音声データＤ１０及びＤ１１の音声レベルが、１チャンネルから４チャンネルまでの４チャンネル分の音声データＤ１０及びＤ１１の音声レベルと、５チャンネルから８チャンネルまでの４チャンネル分の音声データＤ１０及びＤ１１の音声レベルとに切り換えられるようにして表示される。
【００６９】
また記録再生確保処理モード時には、図６に示すように、第１及び第２のメータ表示領域９Ａ及び９Ｂと、第３及び第４のメータ表示領域９Ｃ及び９Ｄ内にそれぞれ処理経路対に対応する１対の入出力ポート（以下、これを入出力ポート対と呼ぶ）を割り当てる。
【００７０】
そして第１及び第２のメータ表示領域９Ａ及び９Ｂと、第３及び第４のメータ表示領域９Ｃ及び９Ｄとの合計８本のレベルメータには、それぞれ対応する入出力ポート対のいずれか一方の入出力ポートを介して入力又は出力される８チャンネル全ての音声データＤ１０及びＤ１１の音声レベルが表示される。
【００７１】
さらに混在処理モード時には、図７（Ａ）及び（Ｂ）に示すように、第１及び第２のメータ表示領域９Ａ及び９Ｂに入出力ポート対を割り当てると共に、第３及び第４のメータ表示領域９Ｃ及び９Ｄにそれぞれ独立した１つの入出力ポートを割り当てる。
【００７２】
そして第１及び第２のメータ表示領域９Ａ及び９Ｂ内の合計８本のレベルメータには、対応する入出力ポート対のいずれか一方の入出力ポートを介して入力又は出力される８チャンネル全ての音声データＤ１０及びＤ１１の音声レベルが表示されると共に、第３及び第４のメータ表示領域９Ｃ及び９Ｄ内のそれぞれ４本のレベルメータには、対応する入出力ポートを介して入力又は出力される８チャンネル分の音声データＤ１０及びＤ１１の音声レベルが１チャンネルから４チャンネルまでの４チャンネル分の音声データＤ１０及びＤ１１の音声レベルと、５チャンネルから８チャンネルまでの４チャンネル分の音声データＤ１０及びＤ１１の音声レベルとに切り換えられるようにして表示される。
【００７３】
ここで実際上表示制御部６５は、独立処理モード時に第１〜第４のメータ表示領域９Ａ〜９Ｄに入出力ポートを割り当てるには、使用された全ての入出力ポートの数（以下、これを使用ポート数と呼ぶ）を「Ｎ ＰＯＲＴ」とし、メータ表示部９内の第１〜第４のメータ表示領域９Ａ〜９Ｄの数（以下、これを表示領域数と呼ぶ）を「Ｎ ＭＥＴＥＲ」として次式
【００７４】
【数１】
0004228249.tif 000002
【００７５】
と、次式
【００７６】
【数２】
0004228249.tif 000003
【００７７】
と、次式
【００７８】
【数３】
0004228249.tif 000004
【００７９】
と、次式
【００８０】
【数４】
0004228249.tif 000005
【００８１】
とを順次用いて、使用ポート数がこれら（１）式から（４）式までのいずれの条件に当てはまるかを判断する。
【００８２】
また表示制御部６５は、各入出力ポートを介して入力又は出力される音声データＤ１０及びＤ１１のチャンネル数（以下、これを処理チャンネル数と呼ぶ）を「Ｎ ＣＨ」とし、１個の第１〜第４のメータ表示領域９Ａ〜９Ｄ内に設けられたレベルメータの本数（以下、これをメータ本数と呼ぶ）を「Ｎ ＭＥＴＥＲ ＣＨ」として次式
【００８３】
【数５】
0004228249.tif 000006
【００８４】
と、次式
【００８５】
【数６】
0004228249.tif 000007
【００８６】
と、次式
【００８７】
【数７】
0004228249.tif 000008
【００８８】
と、次式
【００８９】
【数８】
0004228249.tif 000009
【００９０】
とを順次用いて、処理チャンネル数がこれら（５）式から（８）式までのいずれの条件に当てはまるかを判断する。
【００９１】
因みに使用ポート数と、表示領域数との関係を調べる際にこの表示領域数を除算するための最終的な係数ａの値と、処理チャンネル数と、メータ本数との関係を調べる際にこのメータ本数に積算するための最終的な係数ｂの値とは、それぞれ予め任意の値に設定されている。
【００９２】
そして表示制御部６５は、このようにして得られた判断結果により、使用ポート数が上述した（１）式の条件を満足し、かつ処理チャンネル数が上述した（５）式の条件を満足した場合には、当該使用ポート数が表示領域数と同程度であるため、第１〜第４のメータ表示領域９Ａ〜９Ｄにそれぞれ１つの入出力ポートを割り当てる。
【００９３】
そして処理チャンネル数はメータ本数程度であるため、入出力ポートが割り当てられた第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが一括して表示される。
【００９４】
また表示制御部６５は、使用ポート数が上述した（１）式の条件を満足し、かつ処理チャンネル数が上述した（６）式の条件を満足した場合には、第１〜第４のメータ表示領域９Ａ〜９Ｄにそれぞれ１つの入出力ポートを割り当てる。
【００９５】
この場合処理チャンネル数はメータ本数の２倍程度であるため、入出力ポートが割り当てられた第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが、例えば１チャンネルから４チャンネルまでの４チャンネル分の音声データＤ１０及びＤ１１の音声レベルと、５チャンネル以降の全てのチャンネル分の音声データＤ１０及びＤ１１の音声レベルとのように２段階に切り換えられて表示される。
【００９６】
さらに表示制御部６５は、使用ポート数が上述した（１）式の条件を満足し、かつ処理チャンネル数が上述した（７）式の条件を満足した場合には、第１〜第４のメータ表示領域９Ａ〜９Ｄにそれぞれ１つの入出力ポートを割り当てる。
【００９７】
この場合処理チャンネル数はメータ本数の３倍程度であるため、入出力ポートが割り当てられた第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが、例えば１チャンネルから４チャンネルまでの４チャンネル分の音声データＤ１０及びＤ１１の音声レベルと、５チャンネルから８チャンネルまでの４チャンネル分の音声データＤ１０及びＤ１１の音声レベルと、９チャンネル以降の全てのチャンネル分の音声データＤ１０及びＤ１１の音声レベルとのように３段階に切り換えられて表示される。
【００９８】
さらに表示制御部６５は、使用ポート数が上述した（１）式の条件を満足し、かつ処理チャンネル数が上述した（８）式の条件を満足した場合には、第１〜第４のメータ表示領域９Ａ〜９Ｄにそれぞれ１つの入出力ポートを割り当てる。
【００９９】
そして処理チャンネル数はメータ本数のｂ＋１倍程度であるため、入出力ポートが割り当てられた第１〜第４のメータ表示領域９Ａ〜９Ｄ毎の各レベルメータには、対応する１つの入出力ポートを介して入力又は出力される全チャンネル分の音声データＤ１０及びＤ１１の音声レベルがｂ＋１段階に切り換えられて表示される。
【０１００】
因みに表示制御部６５は、このようにして使用ポート数が上述した（１）式の条件を満足するものの、当該使用ポート数が表示領域数よりも少ない場合には、当該使用ポート数を上回る分の第１〜第４のメータ表示領域９Ａ〜９Ｄには入出力ポートを割り当てず、かくして音声レベルを表示させないようにする。
【０１０１】
また表示制御部６５は、使用ポート数が上述した（２）式の条件を満足し、かつ処理チャンネル数が上述した（５）式の条件を満足した場合には、当該使用ポート数が表示領域数の半分以下であるものの、処理チャンネル数がメータ本数程度であるため、第１〜第４のメータ表示領域９Ａ〜９Ｄにそれぞれ１つの入出力ポートを割り当てる。
【０１０２】
この結果入出力ポートが割り当てられた第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが一括して表示される。因みに表示制御部６５は、この際入出力ポートを割り当てきれなかった第１〜第４のメータ表示領域９Ａ〜９Ｄには音声レベルを表示させないようにする。
【０１０３】
さらに表示制御部６５は、使用ポート数が上述した（２）式の条件を満足し、かつ処理チャンネル数が上述した（６）式の条件を満足した場合には、処理チャンネル数がメータ本数の２倍程度であるため、第１〜第４のメータ表示領域９Ａ〜９Ｄのうち、順次２個の第１〜第４のメータ表示領域９Ａ〜９Ｄに１つの入出力ポートを割り当てる。
【０１０４】
この結果入出力ポートが割り当てられた２個の第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが一括して表示される。
【０１０５】
さらに表示制御部６５は、使用ポート数が上述した（２）式の条件を満足し、かつ処理チャンネル数が上述した（７）式の条件を満足した場合には、第１〜第４のメータ表示領域９Ａ〜９Ｄのうち、順次２個の第１〜第４のメータ表示領域９Ａ〜９Ｄに１つの入出力ポートを割り当てる。
【０１０６】
この場合処理チャンネルはメータ本数の３倍程度であるため、１つの入出力ポートに対して２個の第１〜第４のメータ表示領域９Ａ〜９Ｄを使用しても、当該２個の第１〜第４のメータ表示領域９Ａ〜９Ｄ内の各レベルメータには、対応する１つの入出力ポートを介して入力又は出力される全チャンネル分の音声データＤ１０及びＤ１１の音声レベルを一括しては表示することができない。
【０１０７】
このため入出力ポートが割り当てられた２個の第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが、例えば１チャンネルから８チャンネルまでの音声データの音声レベルと、９チャンネル以降の全てのチャンネル分の音声データの音声レベルとのように２段階に切り換えられて表示される。
【０１０８】
さらに表示制御部６５は、使用ポート数が上述した（２）式の条件を満足し、かつ処理チャンネル数が上述した（８）式の条件を満足した場合には、第１〜第４のメータ表示領域９Ａ〜９Ｄのうち、順次２個の第１〜第４のメータ表示領域９Ａ〜９Ｄに１つの入出力ポートを割り当てる。
【０１０９】
この場合処理チャンネル数がメータ本数のｂ＋１倍程度であるため、入出力ポートが割り当てられた２個の第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが段階的に切り換えられて表示される。
【０１１０】
また表示制御部６５は、使用ポート数が上述した（３）式の条件を満足し、かつ処理チャンネル数が上述した（５）式の条件を満足した場合には、当該使用ポート数が表示領域数の 1/3倍程度以下であり、１つの入出力ポートに対して３個の第１〜第４のメータ表示領域９Ａ〜９Ｄを使用することができるものの、処理チャンネル数がメータ本数程度であるため、第１〜第４のメータ表示領域９Ａ〜９Ｄにそれぞれ１つの入出力ポートを割り当てる。
【０１１１】
この結果入出力ポートが割り当てられた第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが一括して表示される。因みに表示制御部６５は、この際入出力ポートを割り当てきれなかった第１〜第４のメータ表示領域９Ａ〜９Ｄには音声レベルを表示させないようにする。
【０１１２】
さらに表示制御部６５は、使用ポート数が上述した（３）式の条件を満足し、かつ処理チャンネル数が上述した（６）式の条件を満足した場合には、処理チャンネル数がメータ本数の２倍程度であるため、第１〜第４のメータ表示領域９Ａ〜９Ｄのうち、順次２個の第１〜第４のメータ表示領域９Ａ〜９Ｄに１つの入出力ポートを割り当てる。
【０１１３】
この結果入出力ポートが割り当てられた２個の第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが一括して表示される。
【０１１４】
因みに表示制御部６５は、この際にも入出力ポートを割り当てきれなかった第１〜第４のメータ表示領域９Ａ〜９Ｄが存在するため、これら第１〜第４のメータ表示領域９Ａ〜９Ｄには音声レベルを表示させないようにする。
【０１１５】
さらに表示制御部６５は、使用ポート数が上述した（３）式の条件を満足し、かつ処理チャンネル数が上述した（７）式の条件を満足した場合には、処理チャンネル数がメータ本数の３倍程度であるため、第１〜第４のメータ表示領域９Ａ〜９Ｄのうち、順次３個の第１〜第４のメータ表示領域９Ａ〜９Ｄに１つの入出力ポートを割り当てる。
【０１１６】
この結果入出力ポートが割り当てられた３個の第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが一括して表示される。
【０１１７】
さらに表示制御部６５は、使用ポート数が上述した（３）式の条件を満足し、かつ処理チャンネル数が上述した（８）式の条件を満足した場合には、第１〜第４のメータ表示領域９Ａ〜９Ｄのうち、順次３個の第１〜第４のメータ表示領域９Ａ〜９Ｄに１つの入出力ポートを割り当てる。
【０１１８】
この場合処理チャンネル数はメータ本数のｂ＋１倍程度であるため、入出力ポートが割り当てられた３個の第１〜第４のメータ表示領域９Ａ〜９Ｄ毎の各レベルメータには、対応する１つの入出力ポートを介して入力又は出力される全チャンネル分の音声データＤ１０及びＤ１１の音声レベルが段階的に切り換えられて表示される。
【０１１９】
因みに表示制御部６５は、少なくとも使用ポート数が上述した（４）式の条件を満足した場合でも、上述した表示の割り当ての手法に従って第１〜第４のメータ表示領域９Ａ〜９Ｄに入出力ポートを割り当てるようにする。
【０１２０】
一方表示制御部６５は、記録再生確保処理モード時に第１〜第４のメータ表示領域９Ａ〜９Ｄに入出力ポートを割り当てるには、使用された全ての入出力ポートのうち、処理経路対に対応する入出力ポート対の数（以下、これを対ポート数と呼ぶ）を「Ｎ ＰＯＲＴ／２」とし、次式
【０１２１】
【数９】
0004228249.tif 000010
【０１２２】
と、次式
【０１２３】
【数１０】
0004228249.tif 000011
【０１２４】
と、次式
【０１２５】
【数１１】
0004228249.tif 000012
【０１２６】
とを順次用いて、この対ポート数がこれら（９）式から（11）式までのいずれの条件に当てはまるかを判断する。
【０１２７】
因みに対ポート数と、表示領域数との関係を調べる際にこの表示領域数を除算するための最終的な係数ｃの値は予め任意の値に設定されている。
【０１２８】
また表示制御部６５は上述した（５）式から（８）式までを順次用いて、処理チャンネル数がこれら（５）式から（８）式までのいずれの条件に当てはまるかを判断する。
【０１２９】
そして表示制御部６５は、このようにして得られた判断結果により、対ポート数が上述した（９）式の条件を満足し、かつ処理チャンネル数が上述した（５）式の条件を満足した場合には、当該対ポート数が表示領域数の 1/2倍程度であり、１つの入出力ポート対に対して２個の第１〜第４のメータ表示領域９Ａ〜９Ｄを使用することができるものの、処理チャンネル数がメータ本数程度であるため、第１〜第４のメータ表示領域９Ａ〜９Ｄにそれぞれ１つの入出力ポート対を割り当てる。
【０１３０】
この結果入出力ポート対が割り当てられた第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが一括して表示される。
【０１３１】
因みに表示制御部６５は、対ポート数を上回る分の第１〜第４のメータ表示領域９Ａ〜９Ｄには音声レベルを表示させないようにする。
【０１３２】
また表示制御部６５は、対ポート数が上述した（９）式の条件を満足し、かつ処理チャンネル数が上述した（６）式の条件を満足した場合には、処理チャンネル数がメータ本数の２倍程度であるため、第１〜第４のメータ表示領域９Ａ〜９Ｄのうち、順次２個の第１〜第４のメータ表示領域９Ａ〜９Ｄにそれぞれ１つの入出力ポート対を割り当てる。
【０１３３】
この結果入出力ポート対が割り当てられた２個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが一括して表示される。
【０１３４】
さらに表示制御部６５は、対ポート数が上述した（９）式の条件を満足し、かつ処理チャンネル数が上述した（７）式の条件を満足した場合には、第１〜第４のメータ表示領域９Ａ〜９Ｄのうち、順次２個の第１〜第４のメータ表示領域９Ａ〜９Ｄにそれぞれ１つの入出力ポート対を割り当てる。
【０１３５】
ところが処理チャンネル数はメータ本数の３倍程度であり、１つの入出力ポート対に対して２個の第１〜第４のメータ表示領域９Ａ〜９Ｄを使用しても、当該２個の第１〜第４のメータ表示領域９Ａ〜９Ｄ内の各レベルメータには、対応する１つの入出力ポート対のいずれか一方の入出力ポートを介して入力又は出力される全チャンネル分の音声データＤ１０及びＤ１１の音声レベルを一括しては表示することができない。
【０１３６】
従って入出力ポート対が割り当てられた２個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが、例えば１チャンネルから８チャンネルまでの音声データの音声レベルと、９チャンネル以降の全てのチャンネル分の音声データの音声レベルとのように２段階に切り換えられて表示される。
【０１３７】
さらに表示制御部６５は、対ポート数が上述した（９）式の条件を満足し、かつ処理チャンネル数が上述した（８）式の条件を満足した場合には、第１〜第４のメータ表示領域９Ａ〜９Ｄのうち、順次２個の第１〜第４のメータ表示領域９Ａ〜９Ｄにそれぞれ１つの入出力ポート対を割り当てる。
【０１３８】
この場合処理チャンネル数はメータ本数のｂ＋１倍程度であるため、入出力ポート対が割り当てられた２個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルがｂ段階に切り換えられて表示される。
【０１３９】
また表示制御部６５は、対ポート数が上述した（10）式の条件を満足し、かつ処理チャンネル数が上述した（５）式の条件を満足した場合には、当該対ポート数が表示領域数の 1/3倍程度であり、１つの入出力ポート対に対して３個の第１〜第４のメータ表示領域９Ａ〜９Ｄを使用することができるものの、処理チャンネル数がメータ本数程度であるため、第１〜第４のメータ表示領域９Ａ〜９Ｄにそれぞれ１つの入出力ポート対を割り当てる。
【０１４０】
この結果入出力ポート対が割り当てられた第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが一括して表示される。因みに表示制御部６５は、この際入出力ポート対を割り当てきれなかった第１〜第４のメータ表示領域９Ａ〜９Ｄには音声レベルを表示させないようにする。
【０１４１】
さらに表示制御部６５は、対ポート数が上述した（10）式の条件を満足し、かつ処理チャンネル数が上述した（６）式の条件を満足した場合には、１つの入出力ポート対に対して３個の第１〜第４のメータ表示領域９Ａ〜９Ｄを使用することができるものの、処理チャンネル数がメータ本数の２倍程度であるため、第１〜第４のメータ表示領域９Ａ〜９Ｄのうち、順次２個の第１〜第４のメータ表示領域９Ａ〜９Ｄに１つの入出力ポート対を割り当てる。
【０１４２】
この結果入出力ポート対が割り当てられた２個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが一括して表示される。因みにこの際にも入出力ポート対を割り当てきれなかった第１〜第４のメータ表示領域９Ａ〜９Ｄには音声レベルを表示させないようにする。
【０１４３】
さらに表示制御部６５は、対ポート数が上述した（10）式の条件を満足し、かつ処理チャンネル数が上述した（７）式の条件を満足した場合には、１つの入出力ポート対に対して３個の第１〜第４のメータ表示領域９Ａ〜９Ｄを使用することができ、かつ処理チャンネル数がメータ本数の３倍程度であるため、第１〜第４のメータ表示領域９Ａ〜９Ｄのうち、順次３個の第１〜第４のメータ表示領域９Ａ〜９Ｄに１つの入出力ポートを割り当てる。
【０１４４】
この結果入出力ポート対が割り当てられた３個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが一括して表示される。
【０１４５】
さらに表示制御部６５は、対ポート数が上述した（10）式の条件を満足し、かつ処理チャンネル数が上述した（８）式の条件を満足した場合には、第１〜第４のメータ表示領域９Ａ〜９Ｄのうち、順次３個の第１〜第４のメータ表示領域９Ａ〜９Ｄに１つの入出力ポートを割り当てる。
【０１４６】
しかしながらこの場合処理チャンネル数がメータ本数のｂ＋１倍程度であるため、入出力ポート対が割り当てられた３個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが段階的に切り換えられて表示される。
【０１４７】
また表示制御部６５は、少なくとも対ポート数が上述した（11）式の条件を満足した場合には、１つの入出力ポート対に対してｃ個の第１〜第４のメータ表示領域９Ａ〜９Ｄを使用することができるため、第１〜第４のメータ表示領域９Ａ〜９Ｄのうち、順次ｃ個の第１〜第４のメータ表示領域９Ａ〜９Ｄに１つの入出力ポート対を割り当てる。
【０１４８】
そして入出力ポート対が割り当てられたｃ個の第１〜第４のメータ表示領域９Ａ〜９Ｄ毎の各レベルメータには、対応する１つの入出力ポート対のいずれか一方の入出力ポートを介して入力又は出力される全チャンネル分の音声データＤ１０及びＤ１１の音声レベルが、処理チャンネル数が満足する条件に応じて表示される。
【０１４９】
また表示制御部６５は、混在処理モード時に第１〜第４のメータ表示領域９Ａ〜９Ｄに音声レベルの表示を割り当てるには、基本的には独立処理モード時の表示の割り当て手法に従って第１〜第４のメータ表示領域９Ａ〜９Ｄに入出力ポートを割り当てるものの、記録再生確保処理モードによって確保された入出力ポート対に対しては、２個の第１〜第４のメータ表示領域９Ａ〜９Ｄを確保し、これら両方に表示を割り当てるか、又はいずれか一方のみに表示を割り当てて残る他方には表示を割り当てないようにする。
【０１５０】
このようにしてビデオサーバ１においては、メータ表示部９内の第１〜第４のメータ表示領域９Ａ〜９Ｄを有効に利用して音声データＤ１０及びＤ１１の音声レベルを表示し得るようになされている。
【０１５１】
なおこの実施の形態の場合、上述した図２に示すメータパネル３には、メニューボタン７０と、モード選択つまみ７１と、モード決定ボタン７２とが配設されており、メニューボタン７０を押下した後、表示領域選択ボタン１０Ａ〜１０Ｄによっていずれかの入出力ポートが選択指定されると、対応する第１〜第４のメータ表示領域９Ａ〜９Ｄ内にタイムコードに換えて独立処理モード及び記録再生確保処理モードを表す情報が表示される。
【０１５２】
そしてこのメータパネル３においては、この状態においてモード選択つまみ７１を回すことにより表示された独立処理モード及び記録再生確保処理モードを表す情報を切り換えることができ、かくして所望する処理モードが表示されとき、モード決定ボタン７２が押下されると、選択指定した入出力ポートに対してこの処理モードを設定し得るようになされている。
【０１５３】
（２）表示割当て処理手順
ここで実際上表示制御部６５は、第１〜第４のメータ表示領域９Ａ〜９Ｄに入出力ポート又は入出力ポート対を割り当てる場合、図８〜図１７に示す表示割当て処理手順ＲＴ１をステップＳＰ１において開始し、続くステップＳＰ２において切換え制御部５８から出力されたオペレーション情報Ｓ２及びコンフィグレーション情報Ｓ３を取り込む。
【０１５４】
次いで表示制御部６５は、ステップＳＰ３に進んでこのオペレーション情報Ｓ２に基づいて得られた処理モードが記録再生確保処理モードであるか否かを判断する。
【０１５５】
このステップＳＰ３において否定結果を得ることは、この時点において設定された処理モードが独立処理モード又は混在処理モードであることを意味し、このとき表示制御部６５は、ステップＳＰ４に進んで使用ポート数が上述した（１）式の条件を満足するか否かを判断する。
【０１５６】
そしてこのステップＳＰ４において肯定結果を得た場合には、使用ポート数が表示領域数と同程度であるため、第１〜第４のメータ表示領域９Ａ〜９Ｄにそれぞれ１つの入出力ポートを割り当てることを意味し、このとき表示制御部６５はステップＳＰ５に進んで処理チャンネル数が上述した（５）式の条件を満足するか否かを判断する。
【０１５７】
このステップＳＰ５において肯定結果を得た場合には、処理チャンネル数がメータ本数程度であることを意味し、このとき表示制御部６５は、ステップＳＰ６に進んで第１〜第４のメータ表示領域９Ａ〜９Ｄにそれぞれ１つの入出力ポートを割り当て、当該第１〜第４のメータ表示領域９Ａ〜９Ｄ毎の各レベルメータに対応する１つの入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１５８】
これに対してこのステップＳＰ５において否定結果を得た場合には、処理チャンネル数がメータ本数よりも多いことを意味し、このとき表示制御部６５は、ステップＳＰ８に進んで処理チャンネル数が上述した（６）式の条件を満足するか否かを判断する。
【０１５９】
そしてこのステップＳＰ８において肯定結果を得た場合には、処理チャンネル数がメータ本数の２倍程度であることを意味し、このとき表示制御部６５は、ステップＳＰ９に進んで第１〜第４のメータ表示領域９Ａ〜９Ｄにそれぞれ１つの入出力ポートを割り当て、当該第１〜第４のメータ表示領域９Ａ〜９Ｄ毎の各レベルメータに対応する１つの入出力ポートを介して入力又は出力される全チャンネル分の音声データの音声レベルを２段階に切り換えるようにして表示させるようにし、この後ステップＳＰ７に進んでこの表示割当て処理手順ＲＴ１を終了する。
【０１６０】
これに対してこのステップＳＰ８において否定結果を得た場合には、処理チャンネル数がメータ本数の２倍程度よりも多いことを意味し、このとき表示制御部６５は、ステップＳＰ１０に進んで処理チャンネル数が上述した（７）式の条件を満足するか否かを判断する。
【０１６１】
そしてこのステップＳＰ１０において肯定結果を得た場合には、処理チャンネル数がメータ本数の３倍程度であることを意味し、このとき表示制御部６５は、ステップＳＰ１１に進んで第１〜第４のメータ表示領域９Ａ〜９Ｄにそれぞれ１つの入出力ポートを割り当て、当該第１〜第４のメータ表示領域９Ａ〜９Ｄ毎の各レベルメータに対応する１つの入出力ポートを介して入力又は出力される全チャンネル分の音声データＤ１０及びＤ１１の音声レベルを３段階に切り換えるようにして表示させるようにし、この後ステップＳＰ７に進んでこの表示割当て処理手順ＲＴ１を終了する。
【０１６２】
因みにこのステップＳＰ１０において否定結果を得た場合には、処理チャンネル数がメータ本数の３倍程度よりも多いことを意味し、このとき表示制御部６５は、ステップＳＰ１２に進んで上述した（８）式の係数ｂの値を必要に応じて変えるようにして処理チャンネル数が満足する条件を検出する。
【０１６３】
そして表示制御部６５は、ステップＳＰ１３に進み、ステップＳＰ１２において検出した条件に応じて第１〜第４のメータ表示領域９Ａ〜９Ｄに入出力ポートを割り当て、当該第１〜第４のメータ表示領域９Ａ〜９Ｄ毎の各レベルメータに対応する１つの入出力ポートを介して入力又は出力される全チャンネル分の音声データＤ１０及びＤ１１の音声レベルをｂ＋１段階に切り換えるようにして表示させるようにし、この後ステップＳＰ７に進んでこの表示割当て処理手順ＲＴ１を終了する。
【０１６４】
一方上述したステップＳＰ４において否定結果を得た場合には、使用ポート数が表示領域数の半分程度よりも少ないことを意味し、このとき表示制御部６５は、ステップＳＰ１４に進んで使用ポート数が上述した（２）式の条件を満足するか否かを判断する。
【０１６５】
そしてこのステップＳＰ１４において肯定結果を得た場合には、使用ポート数が表示領域数の半分程度であり、１つの入出力ポートに対して２個の第１〜第４のメータ表示領域９Ａ〜９Ｄを使用することができることを意味し、このとき表示制御部６５は、ステップＳＰ１５に進んで処理チャンネル数が上述した（５）式の条件を満足するか否かを判断する。
【０１６６】
このステップＳＰ１５において肯定結果を得た場合には、処理チャンネル数がメータ本数程度であるために１つの入出力ポートに対して２個の第１〜第４のメータ表示領域９Ａ〜９Ｄを使用する必要がないことを意味し、このとき表示制御部６５は、ステップＳＰ１６に進んで第１〜第４のメータ表示領域９Ａ〜９Ｄにそれぞれ１つの入出力ポートを割り当て、当該第１〜第４のメータ表示領域９Ａ〜９Ｄ毎の各レベルメータに対応する１つの入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１６７】
これに対してこのステップＳＰ１５において否定結果を得た場合には、処理チャンネル数がメータ本数よりも多いことを意味し、このとき表示制御部６５は、ステップＳＰ１７に進んで処理チャンネル数が上述した（６）式の条件を満足するか否かを判断する。
【０１６８】
このステップＳＰ１７において肯定結果を得た場合には、処理チャンネル数がメータ本数の２倍程度であることを意味し、このとき表示制御部６５は、ステップＳＰ１８に進んで第１〜第４のメータ表示領域９Ａ〜９Ｄのうち、順次２個の第１〜第４のメータ表示領域９Ａ〜９Ｄに１つの入出力ポートを割り当てると共に、これら２個の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１６９】
これに対してこのステップＳＰ１７において否定結果を得た場合には、処理チャンネル数がメータ本数の２倍程度よりも多いことを意味し、このとき表示制御部６５は、ステップＳＰ１９に進んで処理チャンネル数が上述した（７）式の条件を満足するか否かを判断する。
【０１７０】
このステップＳＰ１９において肯定結果を得た場合には、処理チャンネル数がメータ本数の３倍程度であることを意味し、このとき表示制御部６５は、ステップＳＰ２０に進んで第１〜第４のメータ表示領域９Ａ〜９Ｄのうち、順次２個の第１〜第４のメータ表示領域９Ａ〜９Ｄに１つの入出力ポートを割り当てると共に、これら２個の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを２段階に切り換えて表示させるようにし、この後ステップＳＰ７に進んでこの表示割当て処理手順ＲＴ１を終了する。
【０１７１】
因みにこのステップＳＰ１９において否定結果を得た場合には、処理チャンネル数がメータ本数の３倍程度よりも多いことを意味し、このとき表示制御部６５は、ステップＳＰ２１に進んで上述した（８）式の係数ｂの値を必要に応じて変えるようにして処理チャンネル数が満足する条件を検出する。
【０１７２】
そして表示制御部６５は、ステップＳＰ２２に進み、ステップＳＰ２１において検出した条件に応じて第１〜第４のメータ表示領域９Ａ〜９Ｄのうち、順次２個の第１〜第４のメータ表示領域９Ａ〜９Ｄに１つの入出力ポートを割り当てると共に、これら２個の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを段階的に切り換えるよにして表示させるようにし、この後ステップＳＰ７に進んでこの表示割当て処理手順ＲＴ１を終了する。
【０１７３】
一方上述したステップＳＰ１４において否定結果を得た場合には、使用ポート数が表示領域数の 1/3倍程度よりも少ないことを意味し、このとき表示制御部６５は、ステップＳＰ２３に進んで使用ポート数が上述した（３）式の条件を満足するか否かを判断する。
【０１７４】
ここでこのステップＳＰ２３において肯定結果を得た場合には、使用ポート数が表示領域数の 1/3倍程度であり、１つの入出力ポートに対して３個の第１〜第４のメータ表示領域９Ａ〜９Ｄを使用することができることを意味し、このとき表示制御部６５は、ステップＳＰ２４に進んで処理チャンネル数が上述した（５）式の条件を満足するか否かを判断する。
【０１７５】
このステップＳＰ２４において肯定結果を得た場合には、処理チャンネル数がメータ本数程度であるため、１つの入出力ポートに対して３個の第１〜第４のメータ表示領域９Ａ〜９Ｄを使用する必要がないことを意味し、このとき表示制御部６５は、ステップＳＰ２５に進んで第１〜第４のメータ表示領域９Ａ〜９Ｄにそれぞれ１つの入出力ポートを割り当てると共に、音声レベルの表示を割り当てた第１〜第４のメータ表示領域９Ａ〜９Ｄ毎の各レベルメータに対応する１つの入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１７６】
これに対してこのステップＳＰ２４において否定結果を得た場合には、処理チャンネル数がメータ本数よりも多いことを意味し、このとき表示制御部６５は、ステップＳＰ２６に進んで処理チャンネル数が上述した（６）式の条件を満足するか否かを判断する。
【０１７７】
このステップＳＰ２６において肯定結果を得た場合には、処理チャンネル数がメータ本数の２倍程度であることを意味し、このとき表示制御部６５は、ステップＳＰ２７に進んで第１〜第４のメータ表示領域９Ａ〜９Ｄのうち、順次２個の第１〜第４のメータ表示領域９Ａ〜９Ｄに１つの入出力ポートを割り当てると共に、これら２個の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１７８】
これに対してこのステップＳＰ２６において否定結果を得た場合には、処理チャンネル数がメータ本数の２倍程度よりも多いことを意味し、このとき表示制御部６５は、ステップＳＰ２８に進んで処理チャンネル数が上述した（７）式の条件を満足するか否かを判断する。
【０１７９】
このステップＳＰ２８において肯定結果を得た場合には、処理チャンネル数がメータ本数の３倍程度であることを意味し、このとき表示制御部６５は、ステップＳＰ２９に進んで第１〜第４のメータ表示領域９Ａ〜９Ｄのうち、順次３個の第１〜第４のメータ表示領域９Ａ〜９Ｄに１つの入出力ポートを割り当てると共に、これら３個の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１８０】
因みにこのステップＳＰ２８において否定結果を得た場合には、処理チャンネル数がメータ本数の３倍程度よりも多いことを意味し、このとき表示制御部６５は、ステップＳＰ３０に進んで上述した（８）式の係数ｂの値を必要に応じて変えるようにして処理チャンネル数が満足する条件を検出する。
【０１８１】
そして表示制御部６５は、ステップＳＰ３１に進んでステップＳＰ３０において検出した条件に応じて第１〜第４のメータ表示領域９Ａ〜９Ｄのうち、順次３個の第１〜第４のメータ表示領域９Ａ〜９Ｄに１つの入出力ポートを割り当てると共に、これら３個の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを段階的に切り換えるよにして表示させるようにし、この後ステップＳＰ７に進んでこの表示割当て処理手順ＲＴ１を終了する。
【０１８２】
一方上述したステップＳＰ２３において否定結果を得た場合には、使用ポート数が表示領域数の 1/4倍程度よりも少ないことを意味し、このとき表示制御部６５は、ステップＳＰ３２に進んで、上述した（４）式の係数ａの値を必要に応じて変えるようにして使用ポート数が満足する条件を検出する。
【０１８３】
そして表示制御部６５は、ステップＳＰ３３に進んで処理チャンネル数が満足する条件を検出し、この検出結果に基づいて第１〜第４のメータ表示領域９Ａ〜９Ｄのうち、所定数の第１〜第４のメータ表示領域９Ａ〜９Ｄに１つの入出力ポートを割り当てると共に、この所定数の第１〜第４のメータ表示領域９Ａ〜９Ｄ毎の各レベルメータに対応する１つの入出力ポートを介して入力又は出力される全チャンネル分の音声データＤ１０及びＤ１１の音声レベルを必要に応じて段階的に切り換えるよにして表示させるようにし、この後ステップＳＰ７に進んでこの表示割当て処理手順ＲＴ１を終了する。
【０１８４】
一方上述したステップＳＰ３において肯定結果を得た場合には、この時点において設定された処理モードが記録再生確保処理モードであることを意味し、このとき表示制御部６５は、ステップＳＰ３４に進んで対ポート数が上述した（９）式の条件を満足するか否かを判断する。
【０１８５】
ここでこのステップＳＰ３４において肯定結果を得た場合には、対ポート数が表示領域数の 1/2倍程度であり、１つの入出力ポート対に対して２個の第１〜第４のメータ表示領域９Ａ〜９Ｄを使用することができることを意味し、このとき表示制御部６５は、ステップＳＰ３５に進んで処理チャンネル数が上述した（５）式の条件を満足するか否かを判断する。
【０１８６】
このステップＳＰ３５において肯定結果を得た場合には、処理チャンネル数がメータ本数程度であるため、１つの入出力ポート対に対して２個の第１〜第４のメータ表示領域９Ａ〜９Ｄを使用する必要がないことを意味し、このとき表示制御部６５は、ステップＳＰ３６に進んで第１〜第４のメータ表示領域９Ａ〜９Ｄにそれぞれ１つの入出力ポート対を割り当て、当該第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１８７】
これに対してこのステップＳＰ３５において否定結果を得た場合には、処理チャンネル数がメータ本数程度よりも多いことを意味し、このとき表示制御部６５は、ステップＳＰ３７に進んで処理チャンネル数が上述した（６）式の条件を満足するか否かを判断する。
【０１８８】
そしてこのステップＳＰ３７において肯定結果を得た場合には、処理チャンネル数がメータ本数の２倍程度であることを意味し、このとき表示制御部６５は、ステップＳＰ３８に進んで第１〜第４のメータ表示領域９Ａ〜９Ｄのうち、順次２個の第１〜第４のメータ表示領域９Ａ〜９Ｄにそれぞれ１つの入出力ポート対を割り当てると共に、これら２個の第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１８９】
これに対してこのステップＳＰ３７において否定結果を得た場合には、処理チャンネル数がメータ本数の２倍程度よりも多いことを意味し、このとき表示制御部６５は、ステップＳＰ３９に進んで処理チャンネル数が上述した（７）式の条件を満足するか否かを判断する。
【０１９０】
そしてこのステップＳＰ３９において肯定結果を得た場合には、処理チャンネル数はメータ本数の３倍程度であることを意味し、このとき表示制御部６５は、ステップＳＰ４０に進んで第１〜第４のメータ表示領域９Ａ〜９Ｄのうち、順次２個の第１〜第４のメータ表示領域９Ａ〜９Ｄにそれぞれ１つの入出力ポート対を割り当てると共に、これら２個の第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを２段階に切り換えるようにして表示させるようにし、この後ステップＳＰ７に進んでこの表示割当て処理手順ＲＴ１を終了する。
【０１９１】
これに対してこのステップＳＰ３９において否定結果を得た場合には、処理チャンネル数はメータ本数の３倍程度よりも多いことを意味し、このとき表示制御部６５は、ステップＳＰ４１に進んで上述した（８）式の係数ｂの値を必要に応じて変えるようにして処理チャンネル数が満足する条件を検出する。
【０１９２】
そして表示制御部６５は、ステップＳＰ４２に進んでステップＳＰ４１において検出した条件に応じて第１〜第４のメータ表示領域９Ａ〜９Ｄのうち、順次２個の第１〜第４のメータ表示領域９Ａ〜９Ｄに１つの入出力ポート対を割り当てると共に、これら２個の第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを段階的に切り換えるよにして表示させるようにし、この後ステップＳＰ７に進んでこの表示割当て処理手順ＲＴ１を終了する。
【０１９３】
一方上述したステップＳＰ３４において否定結果を得た場合には、対ポート数が表示領域数の 1/3倍程度よりも少ないことを意味し、このとき表示制御部６５は、ステップＳＰ４３に進んで対ポート数が上述した（10）式の条件を満足するか否かを判断する。
【０１９４】
このステップＳＰ４３において肯定結果を得た場合には、対ポート数が表示領域数の 1/3倍程度であり、１つの入出力ポート対に対して３個の第１〜第４のメータ表示領域９Ａ〜９Ｄを使用することができることを意味し、このとき表示制御部６５は、ステップＳＰ４４に進んで処理チャンネル数が上述した（５）式の条件を満足するか否かを判断する。
【０１９５】
このステップＳＰ４４において肯定結果を得た場合には、処理チャンネル数がメータ本数程度であるため、１つの入出力ポート対に対して３個の第１〜第４のメータ表示領域９Ａ〜９Ｄを使用する必要がないことを意味し、このとき表示制御部６５は、ステップＳＰ４５に進んで第１〜第４のメータ表示領域９Ａ〜９Ｄにそれぞれ１つの入出力ポート対を割り当てると共に、音声レベルの表示を割り当てた第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１９６】
これに対してこのステップＳＰ４４において否定結果を得た場合には、処理チャンネル数がメータ本数程度よりも多いことを意味し、このとき表示制御部６５は、ステップＳＰ４６に進んで処理チャンネル数が上述した（６）式の条件を満足するか否かを判断する。
【０１９７】
そしてこのステップＳＰ４６において肯定結果を得た場合には、処理チャンネル数がメータ本数の２倍程度であり、１つの入出力ポート対に対して３個の第１〜第４のメータ表示領域９Ａ〜９Ｄを使用する必要がないことを意味し、このとき表示制御部６５は、ステップＳＰ４７に進んで第１〜第４のメータ表示領域９Ａ〜９Ｄのうち、順次２個の第１〜第４のメータ表示領域９Ａ〜９Ｄに１つの入出力ポート対を割り当てると共に、これら２個の第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０１９８】
これに対してこのステップＳＰ４６において否定結果を得た場合には、処理チャンネル数がメータ本数の２倍程度よりも多いことを意味し、このとき表示制御部６５は、ステップＳＰ４８に進んで処理チャンネル数が上述した（７）式の条件を満足するか否かを判断する。
【０１９９】
このステップＳＰ４８において肯定結果を得た場合には、処理チャンネル数がメータ本数の３倍程度であることを意味し、このとき表示制御部６５は、ステップＳＰ４９に進んで第１〜第４のメータ表示領域９Ａ〜９Ｄのうち、順次３個の第１〜第４のメータ表示領域９Ａ〜９Ｄに１つの入出力ポート対を割り当てると共に、これら３個の第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを一括して表示させるようにし、この後ステップＳＰ７に進んでこの表示割当て処理手順ＲＴ１を終了する。
【０２００】
これに対してこのステップＳＰ４８において否定結果を得た場合には、処理チャンネル数がメータ本数の３倍程度よりも多いことを意味し、このとき表示制御部６５は、ステップＳＰ５０に進んで上述した（８）式の係数ｂの値を必要に応じて変えるようにして処理チャンネル数が満足する条件を検出する。
【０２０１】
そして表示制御部６５は、ステップＳＰ５１に進んでステップＳＰ５０において検出した条件に応じて第１〜第４のメータ表示領域９Ａ〜９Ｄのうち、順次３個の第１〜第４のメータ表示領域９Ａ〜９Ｄに１つの入出力ポート対を割り当てると共に、これら３個の第１〜第４のメータ表示領域９Ａ〜９Ｄ毎の各レベルメータに対応する１つの入出力ポート対のいずれか一方の入出力ポートを介して入力又は出力される全チャンネル分の音声データＤ１０及びＤ１１の音声レベルを段階的に切り換えるよにして表示させるようにし、この後ステップＳＰ７に進んでこの表示割当て処理手順ＲＴ１を終了する。
【０２０２】
一方上述したステップＳＰ４３において否定結果を得た場合には、対ポート数が表示領域数の 1/4倍程度よりも少ないことを意味し、このとき表示制御部６５は、ステップＳＰ５２に進んで上述した（11）式の係数ｃの値を必要に応じて変えるようにして対ポート数が満足する条件を検出する。
【０２０３】
そして表示制御部６５は、ステップＳＰ５３に進んで処理チャンネル数が満足する条件を検出し、この検出結果に基づいて第１〜第４のメータ表示領域９Ａ〜９Ｄのうち、所定数の第１〜第４のメータ表示領域９Ａ〜９Ｄに１つの入出力ポート対を割り当てると共に、この所定数の第１〜第４のメータ表示領域９Ａ〜９Ｄ毎の各レベルメータに、対応する１つの入出力ポート対のいずれか一方の入出力ポートを介して入力又は出力される全チャンネル分の音声データＤ１０及びＤ１１の音声レベルを必要に応じて段階的に切り換えるよにして表示させるようにし、この後ステップＳＰ７に進んでこの表示割当て処理手順ＲＴ１を終了する。
【０２０４】
（３）本実施の形態の動作及び効果
以上の構成において、このビデオサーバ１では、切換え制御部５８が各処理経路に対していずれかの独立処理モード、記録再生確保処理モード又は混在処理モードを設定すると、オペレーション情報Ｓ２及びコンフィグレーション情報Ｓ３を表示制御部６５に送出し、当該表示制御部６５がこのオペレーション情報Ｓ２及びコンフィグレーション情報Ｓ３に基づいてメータ表示部９内の第１〜第４のメータ表示領域９Ａ〜９Ｄに入出力ポート又は入出力ポート対を割り当てる。
【０２０５】
この際使用ポート数又は対ポート数が表示領域数の 1/2倍程度よりも少ない場合には、処理チャンネル数に応じて１又は複数の第１〜第４のメータ表示領域９Ａ〜９Ｄに１つの入出力ポート又は入出力ポート対を割り当てる。
【０２０６】
従ってこのビデオサーバ１では、メータ表示部９内の限られた表示スペースに複数チャンネル分の音声データＤ１０及びＤ１１の音声レベルを視認性を損なうことなく効率良く表示させることができる。
【０２０７】
またこの際処理チャンネル数が、１つの入出力ポート又は入出力ポート対に割り当てられた１又は複数の第１〜第４のメータ表示領域９Ａ〜９Ｄ全体のレベルメータの本数よりも多い場合には、これら各第１〜第４のメータ表示領域９Ａ〜９Ｄ内に音声レベルを切り換えるようにして表示させるため、メータ表示部９内に複数チャンネル分の音声データＤ１０及びＤ１１の音声レベルをさらに効率良く表示させることができる。
【０２０８】
さらに音声データＤ１０及びＤ１１のチャンネル数よりも入出力ポート及び入出力ポート対を優先するため、使用されている全ての入出力ポート又は入出力ポート対を介して入力又は出力される音声データＤ１０及びＤ１１の音声レベルを常に表示させることができる。
【０２０９】
さらにこのビデオサーバ１では、映像音声データＤ１の記録再生時に他にモニタ等を使用しなくともメータ表示部９内に音声データＤ１０及びＤ１１の音声レベルを表示させるため、当該映像音声データＤ１の記録再生時に音声データＤ１０及びＤ１１の音声レベルを容易に目視確認させることができる。
【０２１０】
以上の構成によれば、表示制御部６５により、オペレーション情報Ｓ２及びコンフィグレーション情報Ｓ３に基づいて、メータ表示部９内の第１〜第４のメータ表示領域９Ａ〜９Ｄに音声データＤ１０及びＤ１１の音声レベルを表示するために入出力ポート又は入出力ポート対を割り当てるようにしたことにより、メータ表示部９内の限られた表示スペースに複数チャンネル分の音声レベルを視認性を損なうことなく効率良く表示させることができ、かくして使い勝手を向上し得るビデオサーバを実現することができる。
【０２１１】
（４）他の実施の形態
なお上述の実施の形態においては、混在処理モード時、メータ表示部９内の第１〜第４のメータ表示領域９Ａ〜９Ｄに上述した図７（Ａ）及び（Ｂ）に示すように音声レベルを表示させるようにした場合について述べたが、本発明はこれに限らず、例えば図１８に示すように、１つの入出力ポート対のいずれか一方の入出力ポートを介して入力又は出力される音声データＤ１０及びＤ１１の音声レベルを第１のメータ表示領域９Ａのみに表示させ、当該第１のメータ表示領域９Ａの表示を第３及び第４のメータ表示領域９Ｃ及び９Ｄと同様に切り換えるようにしても良い。
【０２１２】
また上述の実施の形態においては、処理経路に独立処理モード、記録再生確保処理モード、混在処理モードを設定し得るようにした場合について述べたが、本発明はこれに限らず、これら独立処理モードのみ、又はこれら独立モード、記録再生確保処理モード、混在処理モードの他に種々のモードを設定するようにしても良い。
【０２１３】
さらに上述の実施の形態においては、入出力ポートと、第１〜第４のメータ表示領域９Ａ〜９Ｄとを同数にした場合について述べたが、本発明はこれに限らず、入出力ポートと、メータ表示領域とを異なる数としても良い。
【０２１４】
さらに上述の実施の形態においては、オペレーション情報Ｓ２及びコンフィグレーション情報Ｓ３に基づいて第１〜第４のメータ表示領域９Ａ〜９Ｄに入出力ポート又は入出力ポート対を割り当てるようにした場合について述べたが、本発明はこれに限らず、設定し得る処理モードが独立モードのみであれば、コンフィグレーション情報Ｓ３のみに基づいて第１〜第４のメータ表示領域９Ａ〜９Ｄに入出力ポートを割り当てることができる。
【０２１５】
さらに上述の実施の形態においては、本発明を上述したビデオサーバ１に適用するようにした場合について述べたが、本発明はこれに限らず、表示部内の限られたスペース内に複数チャンネル分の音声データＤ１０及びＤ１１の音声レベルを表示するようになされたものであれば、この他種々の表示割当て装置及びデータ記録再生装置に広く適用することができる。
【０２１６】
さらに上述の実施の形態においては、所定チャンネル数の音声データの音声レベルを表示することのできる複数の表示領域が設けられた表示手段として、メータ表示部９を適用するようにした場合について述べたが、本発明はこれに限らず、この他種々の表示手段を適用することができる。
【０２１７】
さらに上述の実施の形態においては、ポートの数と、表示手段の表示領域の数と、ポートを介して入出力される音声データのチャンネル数と、表示手段の表示領域に表示することのできる各音声レベルの数とに基づいて、当該表示手段の各表示領域に音声データの音声レベルを表示するためにポートを割り当てる割当て手段として、表示制御部６５を適用するようにした場合について述べたが、本発明はこれに限らず、この他種々の割当て手段を適用することができる。
【０２１８】
さらに上述の実施の形態においては、割当て手段により表示手段の１又は複数の表示領域に、当該各表示領域に表示することのできる各音声データの数よりも多い音声レベルを表示するためにポートが割り当てられた場合、各表示領域に表示される音声レベルを切り換える切換え手段して表示切換えボタン６６、表示制御部６５を適用するようにした場合について述べたが、本発明はこれに限らず、この他種々の切換え手段を適用することができる。
【０２１９】
【発明の効果】
上述のように本発明によれば、表示割当て装置において、それぞれ複数チャンネルの音声データを入出力することのできる複数のポートと、所定チャンネル数の音声データの音声レベルを表示することのできる複数の表示領域が設けられた表示手段と、ポートの数と、表示手段の表示領域の数と、ポートを介して入出力される音声データのチャンネル数と、表示手段の表示領域に表示することのできる音声レベルの数とに基づいて、当該表示手段の各表示領域に音声データの音声レベルを表示するためにポートを割り当てる割当て手段と、当該割当て手段により表示手段の１又は複数の表示領域に、当該各表示領域に表示することのできる音声レベルの数よりも多い音声レベルを表示するためにポートが割り当てられた場合、各表示領域に表示される音声レベルを切り換える切換え手段とを設けるようにしたことにより、表示手段内の限られたスペース内に複数チャンネル分の音声データの音声レベルを視認性を損なうことなく効率良く表示させることができ、かくしてデータ記録再生装置の使い勝手を向上し得る表示割当て装置を実現することができる。
【０２２０】
また表示割当て方法において、複数のポートを介してそれぞれ複数チャンネルの音声データを入出力する第１のステップと、所定チャンネル数の音声データの音声レベルを表示することのできる複数の表示領域に、ポートの数と、表示領域の数と、ポートを介して入出力される音声データのチャンネル数と、表示領域に表示することのできる音声レベルの数とに基づいて、音声データの音声レベルを表示するためにポートを割り当てる第２のステップと、当該第２のステップにおいて、１又は複数の表示領域に、当該各表示領域に表示することのできる音声レベルの数よりも多い音声レベルを表示するようにポートが割り当てられた場合、当該各表示領域に表示される音声レベルを切り換える第３のステップとを設けるようにしたことにより、限られた表示スペース内に複数チャンネル分の音声データの音声レベルを視認性を損なうことなく効率良く表示させることができ、かくしてデータ記録再生装置の使い勝手を向上し得る表示割当て方法を実現することができる。
【０２２１】
さらにデータ記録再生装置において、それぞれ複数のチャンネルの音声データを入出力することのできる複数のポートと、各ポートを介して入出力される音声データを記録又は再生するランダムアクセス可能なディスク状記録媒体と、所定チャンネル数の音声データの音声レベルをそれぞれ表示することのできる複数の表示領域が設けられ、これら各表示領域に各ポートを介して入出力される音声データの音声レベルを表示する表示手段と、ポートの数と、表示手段の表示領域の数と、ポートを介して入出力される音声データのチャンネル数と、表示手段の表示領域に表示することのできる音声レベルの数とに基づいて、当該表示手段の各表示領域に音声データの音声レベルを表示するためにポートを割り当てる割当て手段と、当該割当て手段により表示手段の１又は複数の表示領域に、当該各表示領域に表示することのできる音声レベルの数よりも多い音声レベルを表示するようにポートが割り当てられた場合、各表示領域に表示される音声レベルを切り換える切換え手段とを設けるようにしたことにより、ディスク状記録媒体に記録又は再生する音声データの音声レベルを、他にモニタ等を使用しなくとも容易に目視確認することができ、かくして使い勝手を向上し得るデータ記録再生装置を実現することができる。
【図面の簡単な説明】
【図１】本発明によるビデオサーバの構成の一実施の形態を示す略線的斜視図である。
【図２】メータパネル及びコントロールパネルの構成を示す略線的正面図である。
【図３】ビデオサーバの回路構成を示すブロック図である。
【図４】メータパネル内部の回路構成を示すブロック図である。
【図５】独立処理モード時のメータ表示部の表示の説明に供する略線図である。
【図６】記録再生確保処理モード時のメータ表示部の表示の説明に供する略線図である。
【図７】混在処理モード時のメータ表示部の表示の説明に供する略線図である。
【図８】表示割当て処理手順を示すフローチャートである。
【図９】表示割当て処理手順を示すフローチャートである。
【図１０】表示割当て処理手順を示すフローチャートである。
【図１１】表示割当て処理手順を示すフローチャートである。
【図１２】表示割当て処理手順を示すフローチャートである。
【図１３】表示割当て処理手順を示すフローチャートである。
【図１４】表示割当て処理手順を示すフローチャートである。
【図１５】表示割当て処理手順を示すフローチャートである。
【図１６】表示割当て処理手順を示すフローチャートである。
【図１７】表示割当て処理手順を示すフローチャートである。
【図１８】他の実施の形態による混在処理モード時のメータ表示部の表示の説明に供する略線図である。
【符号の説明】
１……ビデオサーバ、３……メータパネル、７Ａ……入力処理部、７Ｂ、８Ａ、８Ｂ……出力処理部、９……メータ表示部、９Ａ……第１のメータ表示領域、９Ｂ……第２のメータ表示領域、９Ｃ……第３のメータ表示領域、９Ｄ……第４のメータ表示領域、５８……切換え制御部、６５……表示制御部、６６……表示切換えボタン、Ｄ１０、Ｄ１１……音声データ、Ｄ１３〜Ｄ１６……レベルデータ、Ｓ２……オペレーション情報、Ｓ３……コンフィグレーション情報、ＲＴ１……表示割当て処理手順。
【図１】
0004228249.tif 000013
【図２】
0004228249.tif 000014
【図３】
0004228249.tif 000015
【図４】
0004228249.tif 000016
【図６】
0004228249.tif 000017
【図５】
0004228249.tif 000018
【図７】
0004228249.tif 000019
【図８】
0004228249.tif 000020
【図９】
0004228249.tif 000021
【図１０】
0004228249.tif 000022
【図１１】
0004228249.tif 000023
【図１２】
0004228249.tif 000024
【図１３】
0004228249.tif 000025
【図１４】
0004228249.tif 000026
【図１５】
0004228249.tif 000027
【図１６】
0004228249.tif 000028
【図１７】
0004228249.tif 000029
【図１８】
0004228249.tif 000030